(57)【要約】結束される補強部材により相互に連結されている、レール支台を載せるコンクリートブロックを有する２ブロックまくら木またはマルチブロックまくら木において、それらのまくら木を複数の、前加工された単独ブロック１、１’、１”で構成し、そこから突き出る補強体２、３を相互に連結し、特に熔接することを特徴とする、２ブロックまくら木またはマルチブロックまくら木。
2005532489.tif 000002
【特許請求の範囲】
【請求項１】
結束される補強部材により相互に連結されている、レール支台を載せるコンクリートブロックを有する２ブロックまくら木またはマルチブロックまくら木において、それらのまくら木を複数の、前加工された単独ブロック（１、１’、１”）で構成し、そこから突き出る補強体（２、３）を相互に連結し、特に熔接することを特徴とする、２ブロックまくら木またはマルチブロックまくら木。
【請求項２】
請求項１に掲げる２ブロックまくら木またはマルチブロックまくら木において、補強部材（２）の中間には補正片（９、９’）が配置されていることを特徴とする、２ブロックまくら木またはマルチブロックまくら木。
【請求項３】
請求項１または２に掲げる２ブロックまくら木またはマルチブロックまくら木において、単独ブロック（１、１’、１”）の突起補強部材（２）をそれぞれ側方にずらし、それらの補強部材が単独ブロックが軸方向に一列に整列したとき互いにオーバーラップしながら密に隣接しあって推移することを特徴とする、２ブロックまくら木またはマルチブロックまくら木。
【請求項４】
請求項１から３までのいずれかに掲げる２ブロックまくら木またはマルチブロックまくら木において、補強体は、三角形プリズムのエッジを形成する三つの長手方向ロッド（４、５、６）およびこれらのロッドを連結する蛇行体（７）を有するＶ状に屈折した格子桁（３）であることを特徴とする、２ブロックまくら木またはマルチブロックまくら木。
【請求項５】
請求項４に掲げる２ブロックまくら木またはマルチブロックまくら木において、各単独ブロック（１、１’、１”）の格子桁（３）は、互いにかしめ連結されるか、ネジ止めされるか、あるいは熔接されていて、載せられているかまたは挿入されている格子桁区間（９）により互いに連結されていることを特徴とする、２ブロックまくら木またはマルチブロックまくら木。
【請求項６】
請求項１から５までのいずれかに掲げる２ブロックまくら木またはマルチブロックまくら木において、互いに筋交いを備える補強部材（３）が、一部にとどめて形成される、単独ブロックのコンクリート部分から下方に突起することを特徴とする、２ブロックまくら木またはマルチブロックまくら木。
【請求項７】
請求項１から６までのいずれかに掲げる２ブロックまくら木またはマルチブロックまくら木において、補強部材（２）の、互いに間隙を置いて向かい合っている鉄筋ロッドがそれにかぶせられたパイプ片（９’）によって互いに連結されていることを特徴とする、２ブロックまくら木またはマルチブロックまくら木。
【請求項８】
前加工された単独ブロック（１、１’、１”）は工事現場においてゲージを用いて正しい軌間に合わせられ、相互に連結されることを特徴とする、請求項１から７までのいずれかに掲げる２ブロックまくら木またはマルチブロックまくら木の製法。
【発明の詳細な説明】
【技術分野】
【０００１】
本発明は、結束される補強部材により相互に連結されている、レール支台を載せるコンクリートブロックを有する２ブロックまくら木またはマルチブロックまくら木ならびにそのような２ブロックまくら木またはマルチブロックまくら木の製法に関する。
【背景技術】
【０００２】
２ブロックまくら木あるいはまたマルチブロックまくら木の従来の製法は、一つの鋳型においてまくら木全体を製造し、そのあとレール固定手段のみを装着するという方式である。こうした完全まくら木製法は、  −  もちろん、例えば、転てつ器まくら木に採用されるようなマルチブロックまくら木にも特別のケースとして使うことができるのであるが  −  非常に長く、従って非常に重いまくら木を製造工場から遠く離れた工事現場にまで手間をかけて運ばねばならないという欠点を有する。そうした運搬には、特に長いまくら木は途中で破損したり、とりわけ湾曲したりして、希望の軌間寸法に合わなくなるという危険性もある。
【発明の開示】
【発明が解決しようとする課題】
【０００３】
本発明の課題は、簡単に製造でき、工事現場まで比較的容易な、損傷を起こさないような運搬が保証されるような、冒頭に述べた種類の２ブロックまくら木またはマルチブロックまくら木を構成することである。
【課題を解決するための手段】
【０００４】
この課題を解決するために、２ブロックまくら木またはマルチブロックまくら木を複数の、前加工された単独ブロックで構成し、そこから突起補強部材を相互に連結し、特に熔接するという方式が本発明によって提案される。その結果、当然それなりに短くて、軽量の、前加工された単独ブロックが製造されるという優れた製法が生まれるが、そのように製造されたまくら木は製造工場から工事現場に運送され、その工事現場ではじめてゲージを用いて正しい軌間に合わせられ、そして互いに連結される。
【発明の効果】
【０００５】
本発明を展開し、万一ズレが生じても正しい軌間に合わせたのちに連結、特に熔接を実現するために、単独ブロックの補強部材の間に補正片を配置されることができる。
【発明を実施するための最良の形態】
【０００６】
この目的のために、本発明のさらに別の特徴として、例えば、単独ブロックの突起補強部材をそれぞれ側方にずらし、それらの補強部材が単独ブロックが軸方向に一列に整列したとき互いにオーバーラップしながら密に隣接しあって推移しうるようにすることが提案されうる。この構成は、単独ブロックの相互のズレによる軌間長さ調整をおこなうことを可能にすると同時に、そのズレ移動にもかかわらず補強部材のオーバーラップの結果として単独ブロック相互のそれぞれの組合せによる確実な連結が問題なく可能であることを保証するのである。
【０００７】
本発明の特別の長所として、補強体は、ジグザグ状の筋交いによって相互に連結される、それぞれ三つの平行な長手方向補強ロッドを有するＶ状に屈折した格子桁にすることができる。
【０００８】
この格子桁構造では、格子桁の突起部はそれらがいずれにしてもオーバーラップするだけの長さに設計するという非常に単純な方法により、一つの格子桁の僅かな反り曲げによって格子桁は接している単独ブロックの突起している格子桁を十分に掴むことができ、その結果、互いにオーバーラップする部分のかしめ連結、ネジ止めまたは好ましくは熔接をおこなうことができる。
【０００９】
格子桁の突起部が、最終的に組み立てたとき、なお互いに間隙を保つように、短縮されるような連結もまた非常に簡便で好ましい。この連結は、単独ブロックの、向かい合っている格子桁端部の上にただ簡単にのせられ、そして、すでに述べたように、格子桁端部にかしめ連結、ネジ止め、または熔接される、やや大きい格子桁断片により非常に簡単に実現することができる。
【００１０】
最後になったが、互いに筋交いを備える補強部材が、一部にとどめて形成される、単独ブロックのコンクリート部分から下方に突起することも本発明の一環として提案されるが、この構造は、特に鋳込み層に敷き込まれるまくら木を有する固定の車道に対して、車道鋳込み層へのまくら木のさらに強固な連結を確実にする。
【００１１】
本発明は、既に示唆したように、転てつ器まくら木に非常に適している。というのは、転てつ器まくら木は、比較的広く互いに離れている外側線路の転てつ器終端領域において特に、非常に長く、かつ重いからである。そのような転てつ器まくら木を重量を節減するためにマルチブロックまくら木として構成しようとすれば、長さの点で非常に特別な運搬上の問題が発生し、損傷や折れ曲がりの危険をおおいに覚悟しなければならない筈である。
【実施例１】
【００１２】
本発明のその他の利点、特徴、および詳細は一つの実施例に関る以下の説明ならびに図面により明らかになる。
【００１３】
図１  単独ブロックを相互に連結する前の、本発明によるツーブロックまくら木の展開表示。
図２  単独ブロックを最終的に揃え、相互に連結する前の、三つの単独ブロックから成るマルチブロックまくら木の概念図。
図３  転てつ器に必要とされるマルチブロックまくら木を明示するための概念平面図。
図４  図３のＩＶ−ＩＶ線に沿って裁断した断面図。
図５  別の構造の補強をもつ３ブロックまくら木の外観。
【００１４】
図１は特に固定の軌道のための１つのツーブロックまくら木に互いに連結される、単に１８０゜逆になっているだけの２個の同一構造の単独ブロック１を示す。これらの単独ブロックは、それらから突起補強部材２が単独ブロックの適切な整列のあとゲージを使って互いに連結されることができるように、１８０゜だけ逆に配置されている。連結のためには、二つの補強部材２によって連結される適切な連結装具を置く構造にするか、あるいは補強部材を側方にずらして配置し、単独ブロック１の軸方向への一直線の整列のときにそれらの補強部材が互いに側方にずれてオーバーラップし、その様態で共に熔接されうる構造にするかいずれかの方式が提案される。
【００１５】
それぞれ三つの互いに平行に推移する補強ロッド４、５および６がジグザグ状に屈折する蛇行部材７により互いに連結されている様態の、Ｖ状に折れ曲がっている一つまたは複数の格子桁３により補強される単独ブロック１の図示の実施型では、−  図１に示される構造と異なるが  −  格子桁３が、単独ブロック１のコンクリートブロック８の内部において互いにオーバーラップしている二つ、異なる寸法を有する区間によって構成されるようにすることができるかもしれない。このことが一つの突起区間のそれぞれ上方への折り曲げによってできない場合には、−  すでに冒頭に述べた通り  −  格子桁３の突起区間２を短く形成し、それらが工事現場で整列させるとき一切互いに接触しえないようにするのではなく、連結をスペーサー、特にスペーサーに差し入れられる、またはスペーサーに被せられる格子桁区間によっておこなうようにすることができる。これらの格子桁区間は端部２によって締め付けられ、ネジ止めされるか、または好ましい方法としては熔接される。
【００１６】
図２には、単独ブロック１、１’、および１”から成る、転てつ器まくら木用の３ブロックまくら木を概念的に、すなわち、レール支え台の詳細構造を示さないで示す。この場合も、これらの単独ブロック１、１’、および１”は工場にて前加工され、小容積の、従ってまた軽い建材として工事現場に運搬され、そこの最終組立工事現場においてゲージを用いて正しい間隔に整列させ、そのあと突起している補強部材２を再び連結、特に熔接する。
【００１７】
図３は多数の全く相異なる転てつ器まくら木が使われている転てつ器領域を上方から見た概念図である。図示される実施例では、転てつ器領域に限って見れば、まくら木自体は転てつ器領域に応じた長いモノブロックまくら木として構成されてはおらず、マルチブロックまくら木として構成されているが、このマルチブロックまくら木は直に工事現場で前加工された単独ブロックから仕上げ組立てをおこなうという本発明の方法に特に適している。
【００１８】
図４は、図３のＩＶ−ＩＶ線で裁断した３ブロック転てつ器まくら木の断面を示すが、ここでも再び格子桁３として構成されている補強体の突起状の補強部材２の連結は、互いに隙間を形成して終わっている補強部材２にまたがっている格子桁断片９によっておこなわれる。これらの格子桁断片９は図示されてはいないが補強端部材２によってかしめ連結、ネジ止めまたは好ましくは熔接されている。
【００１９】
なお、図３に認識できるように、相異なる転てつ器まくら木の構築には５個から６個の相異なる単独ブロックを必要とすることは、最終的にはまったく重要ではない。というのは、示された実施例でもそうであるがモノブロック加工の場合は少なくとも７個またはそれ以上の相異なる、非常に長い、手軽に扱えない転てつ器まくら木を必要とするであろうからである。必要な鋳型は比較的短くて済むので比較的簡単に製造できる単独ブロック、その単独ブロックの比較的簡単に、傷つけないでおこなえる運搬の可能性、そして出来上がっている転てつ器まくら木への工事現場における組込み直前の連結は、転てつ器まくら木を工場で完成する従来方式に比べ、単独ブロックからおこなう本発明の加工方式を著しく有利にする。
【００２０】
図５は比較的剛強な補強ロッドまたはパイプの形態の平行に推移する補強鉄筋を有する３ブロックまくら木を示す。その場合の連結は、突合せ熔接の方法の他に、図５の左半分に示唆されている上にかぶせられたパイプ９によって非常に簡単におこなうことができる。  −  突合せ熔接は工事現場でのゲージではほんの僅かのずれ調整しかできないので、工場での非常に正確な前加工を要求する  −。図の右はそのような突合せ熔接個所１０を示唆している。
【００２１】
本発明は図示された実施例に限定されるものではない。特に、単独ブロック８のコンクリート打ちを一部にとどめ、固定の車道のための２ブロックまくら木またはマルチブロックまくら木に特に好ましい形態である補強を下方にもコンクリートブロックから突起させることは不要であるかもしれない。さらにまた、もちろん、上記の格子補強より以外の補強、すなわち、例えば、前加工される補強かごまたは複数の貫徹補強ロッドなどを設けることは可能である。
【図面の簡単な説明】
【００２２】
【図１】単独ブロックを相互に連結する前の、本発明によるツーブロックまくら木の展開表示。
【図２】単独ブロックを最終的に揃え、相互に連結する前の、三つの単独ブロックから成るマルチブロックまくら木の概念図。
【図３】転てつ器に必要とされるマルチブロックまくら木を明示するための概念平面図。
【図４】図３のＩＶ−ＩＶ線に沿って裁断した断面図。
【図５】別の構造の補強をもつ３ブロックまくら木の外観
【符号の説明】
【００２３】
１、１’、１”    単独ブロック            ２、３    補強体
４、５、６        長手方向ロッド          ７        蛇行体
８    コンクリートブロック
９    格子桁区間
【図１】
2005532489.tif 000003
【図２】
2005532489.tif 000004
【図３】
2005532489.tif 000005
【図４】
2005532489.tif 000006
【図５】
2005532489.tif 000007
【国際調査報告】
2005532489.tif 000008
2005532489.tif 000009
2005532489.tif 000010
2005532489.tif 000011